(57)【要約】      （修正有）【課題】個々の飲料水容器及び原液とを別々の容器に入れネジ式にて一体化させる。【解決手段】原液の入った容器２と精水及びタンサン，ジンジャエル等の入った容器３をネジ式ではめ込みにし最も適した飲料水が飲めるようにした。容器３のフタに占い事や宣伝広告、ポイントカードを挟み入れるようにした。【選択図】なし【実用新案登録請求の範囲】
【請求項１】
（１）２つの容器を原液、精水を別々にし、容器をネジ式ではめ込みにした物である。
【考案の詳細な説明】
この考案は、一体化した容器を（ブリキ缶、アルミ缶、プラスチック、樹脂容器等）２つの容器に分け、１つを原液、（ウイスキー、ジン、ブランディ、ウオッカ、カルピス、リュール類、酒類、焼酎、果実類、コーヒ、紅茶、お茶類、）を入れ、
１つの容器には（精水、お湯、タンサン、ジンジャエル、ウーロン茶、等）最も適した、量を混ぜ合わせる事で如何に美味しく、飲料を調整する事が出来る事とした。
又（図）２の容器と（図）３容器の間（図）５のフタ一部をアクセサリ、及、び運勢占い、風水占い、恋愛占い、人生占い、等、フタの間の上に他社の宣伝広告（ポイント）を付けその広告（ポイント）により広告主は商品の値引き、景品を考える。
【図面の簡単な説明】
図（１）は図（２）と図（３）を一体化した容器。
図（２）は原液を入れる容器の下部をネジ式にした。
図（３）は精水、又お湯を入れる容器
図（４）は、図（２）の上部で一部図（５）に原液が入り易い様にした。
図（５）は他社の宣伝広告、占い事、ポイント等を２と３の容器に挟み容器の回りをネジ溝をつけた。
0003106832.tif 000002
【手続補正書】
【提出日】平成15年1月25日(2003.1.25)
【手続補正１】
【補正対象書類名】明細書
【補正対象項目名】実用新案登録請求の範囲
【補正方法】変更
【補正の内容】
【実用新案登録請求の範囲】
【請求項１】
（１）上部の原液を入れる飲料水容器の底の周りをネジ式にし、精水などの入った、下部の飲料水容器の上部の内側を結合用のネジ溝を作り上部、下部の飲料水容器をまわしながら結合させ、２つの飲料水容器を一体化にした。
【請求項２】
（１）上部の原液が入った飲料水容器にはブランデイ、ウオッカ、カルピス、リキュール類、酒類，焼酎、果実類、コーヒ、紅茶、お茶，を入れる。
【請求項３】
（１）下部の飲料水容器には、精水、お湯、炭酸、ジンジャエル、ウーロン茶、を入れる。
【請求項４】
（１）上部の飲料水容器と下部の飲料水容器の間に、運勢占い、恋愛占い、風水占い，人生占い、下蓋の間の上に他社の宣伝広告（ポイント）を付け広告主はポイントにより商品の値引き、景品をつける。又蓋の一部をアクセサリにする。
【請求項５】
（１）容器はブリキ缶、アルミ缶、プラスチック、樹脂、ステンレース、の丸型，又は角型、にする。
【手続補正２】
【補正対象書類名】明細書
【補正対象項目名】図面の簡単な説明
【補正方法】変更
【補正の内容】
【図面の簡単な説明】
【図１】図１は飲料水容器の全体図であり、２つの飲料水容器がネジに依り、結合して一体化した、側面図。
【図２】上部の飲料水容器に、原液の入った側面図。
【図３】下部の飲料水容器に、精水などが入った側面図。
【図４】上部の飲料水容器、原液の上蓋に一部原液が下部に入り易いように、カットした上面図。
【図５】下部の飲料水容器、蓋のまわりを結合溝をつけ上部の飲料水容器と結合させる上面図。
又蓋の一部をハート型、つまんで蓋を空ける部分などをアクセサリにしたものである。
【符号の説明】
１、上部、原液飲料水容器。
２、下部、清水飲料水容器。
３、上部、原液飲料水容器。
４、下部、清水飲料水容器。
５、原液の注ぎ口。
６、結合用ネジ溝。
７、アクセサリ。


【手続補正３】
【補正対象書類名】図面
【補正対象項目名】全図
【補正方法】変更
【補正の内容】
【図１】
0003106832.tif 000003
【図２】
0003106832.tif 000004
【図３】
0003106832.tif 000005
【図４】
0003106832.tif 000006
【図５】
0003106832.tif 000007
【手続補正書】
【提出日】平成15年5月15日(2003.5.15)
【手続補正１】
【補正対象書類名】明細書
【補正対象項目名】実用新案登録請求の範囲
【補正方法】変更
【補正の内容】
【実用新案登録請求の範囲】
【請求項１】
（１）上部の原液を入れる飲料水容器の底の回りをネジ式にし、精水などの入った、下部の飲料水容器の上部の内側を結合用のネジ溝を作り上部、下部の飲料水容器をまわしながら結合させて一体化した飲料水容器。
【請求項２】
（１）上部の原液が入った飲料水容器にはブランデイ、ウォッカ、カルピス、リキュール類、酒類、焼酎、果実類、コーヒ、紅茶、お茶、などを入れた請求項１の記載の飲料水容器。
【請求項３】
（１）下部の飲料水容器には精水、お湯、炭酸、ジンジャエルウーロン茶、などを入れた請求項１の記載の飲料水容器
【請求項４】
（１）上部の飲料水容器と下部の飲料水容器の間に運勢占い、恋愛占い、風水占い、人生占い、
下蓋の間の上に他社の宣伝広告（ポイント）を付け広告主はポイントにより商品の値引き景品をつける。
請求項１の記載の飲料容器
【請求項５】
（１）容器はブリキ缶、アルミ缶、プラスチック、樹脂、ステンレース、の丸型、又は角型である請求項１の記載の飲料水容器。
【手続補正２】
【補正対象書類名】明細書
【補正対象項目名】図面の簡単な説明
【補正方法】変更
【補正の内容】
【図面の簡単な説明】
【図１】図１は飲料水容器の全体図であり、２つの飲料水容器がネジに依り、結合して一体化した、側面図。
【図２】上部の飲料水容器に、原液の入った側面図。
【図３】下部の飲料水容器に、精水などが入った側面図。
【図４】上部の飲料水容器、原液の上蓋に一部原液が下部に入り易いように、カットした上面図。
【図５】下部の飲料水容器、蓋のまわりを結合溝をつけ上部の飲料水容器と結合させる上面図。
又蓋の一部をハート型、つまんで蓋を空ける部分などをアクセサリにしたものである。
【符号の説明】
１、上部、原液飲料水容器。
２、下部、清水飲料水容器。
３、上部、原液飲料水容器。
４、下部、清水飲料水容器。
５、原液の注ぎ口。
６、結合用ネジ溝。
７、アクセサリ。


【手続補正３】
【補正対象書類名】図面
【補正対象項目名】全図
【補正方法】変更
【補正の内容】
【図１】
0003106832.tif 000008
【図２】
0003106832.tif 000009
【図３】
0003106832.tif 000010
【図４】
0003106832.tif 000011
【図５】
0003106832.tif 000012
【手続補正書】
【提出日】平成15年7月28日(2003.7.28)
【手続補正１】
【補正対象書類名】明細書
【補正対象項目名】実用新案登録請求の範囲
【補正方法】変更
【補正の内容】
【実用新案登録請求の範囲】
【請求項１】
上部の原液を入れる飲料水容器の底の回りをネジ式にし、精水などの入った、下部の飲料水容器の上部の内側を結合用のネジ溝を作り上部、下部の飲料水容器をまわしながら結合させて一体化した飲料水容器。
【請求項２】
上部の原液が入った飲料水容器にはブランデイ、ウォッカ、カルピス、リキュール類、酒類、焼酎、果実類、コーヒ、紅茶、お茶、などを入れた請求項１記載の飲料水容器。
【請求項３】
下部の飲料水容器には精水、お湯、炭酸、ジンジャエルウーロン茶、などを入れた請求項１の記載の飲料水容器
【請求項４】
「請求項１記載の飲料水容器において、
（１）下蓋の間の上に「運勢、恋愛、風水、人生占い。」
（２）下蓋の間の上に「他社の宣伝広告及びポイント。」
以上からなる飲料水容器。」
【請求項５】
容器はブリキ缶、アルミ缶、プラスチック、樹脂、ステンレース、の丸型、又は角型である請求項１の記載の飲料水容器。
【手続補正書】
【提出日】平成15年11月11日(2003.11.11)
【手続補正１】
【補正対象書類名】明細書
【補正対象項目名】請求項４
【補正方法】変更
【補正の内容】
【請求項４】
「請求項１記載の飲料水において、
（１）書類名［図１全体（原液容器、精水容器）側面図］との結合部分図５下部（精水容器）上面図］容器の上に「運勢、恋愛、風水、人生占いカードを貼りつける飲料水容器。
（２）書類名［図１全体（原液容器、精粋容器）側面図］との結合部分、図５下部《精水容器）上面図］容器の上に「他社の宣伝広告、景品ポイント貼りつける飲料水容器。
【手続補正書】
【提出日】平成16年2月5日(2004.2.5)
【手続補正１】
【補正対象書類名】明細書
【補正対象項目名】請求項４
【補正方法】変更
【補正の内容】
【請求項４】
請求項１記載の飲料水において、
（１）書類名［図１全体（原液容器、精水容器）側面図］との結合部分  図５  下部（精水容器）上面図］容器の上に運勢、恋愛、風水、人生占いカードを貼りつける飲料水容器。
（２）書類名［図１全体（原液容器、精粋容器）側面図］との結合部分、図５  下部（精水容器）上面図］容器の上に他社の宣伝広告、景品ポイント貼りつける飲料水容器。
【手続補正書】
【提出日】平成16年7月28日(2004.7.28)
【手続補正１】
【補正対象書類名】明細書
【補正対象項目名】請求項４
【補正方法】変更
【補正の内容】
【請求項４】
請求項１記載の飲料水容器において原液の入った飲料水容器と精水等の入った飲料水容器の結合部分の間に運勢、恋愛、風水、人生、占いカードや他社の宣伝広告及びポイントを挟んだりした飲料水容器。